(57)【特許請求の範囲】
【請求項１】
回動可能な指針と、
前記指針の指示位置を規定する文字板と、
前記文字板及び前記指針を部分的に露出する開口部が設けられた遮蔽板と、
定められた計測対象に係る計測値を取得する計測手段と、
前記計測手段は、現在日時を計数する計時手段を備え、
前記文字板上に規定された所定の第１位置と第２位置との間で前記計測値に応じて定まる指針位置へ前記指針を移動させる駆動制御手段と、
前記第１位置に対応する第１設定値及び前記第２位置に対応する第２設定値を可変に設定する設定手段と、
を備え、
前記指針は、前記文字板上で少なくとも所定の回転方向に周回動作可能であり、
前記駆動制御手段は、前記第１設定値及び前記第２設定値が示されない状態で、前記第１設定値及び前記第２設定値に対する前記計測値の相対値に応じた相対指針位置へ前記指針を移動させ、
前記第１設定値は所定の開始時刻であり、前記第２設定値は所定の終了時刻であり、前記計測対象は前記開始時刻からの経過時間であり、
前記駆動制御手段は、前記指針を所定角度ずつ移動させる第１駆動間隔を算出し、前記開始時刻から前記第１駆動間隔で、前記指針を前記第１位置から前記所定角度ずつ移動させ、
前記駆動制御手段は、前記終了時刻から次の前記開始時刻までの間に前記指針を前記第２位置から前記第１位置まで前記所定の回転方向に前記所定角度ずつ移動させる第２駆動間隔を算出し、前記終了時刻から前記第２駆動間隔で前記指針を前記所定角度ずつ移動させ、
前記開口部からは、前記所定の回転方向に前記指針の前記第１位置から前記第２位置までの移動動作が露出され、
前記文字板及び前記指針は、前記遮蔽板より低く配置され、前記開口部は、１２時側半分の半円状であり、
前記指針は、１２時側の１８０度の範囲で前記開口部から露出し、６時側の１８０度の範囲で前記遮蔽板の裏側に隠れる
ことを特徴とするアナログ表示装置。
【請求項２】
前記開始時刻は所定の位置における日出時刻であり、前記終了時刻は当該所定の位置における日の入時刻であることを特徴とする請求項１に記載のアナログ表示装置。
【請求項３】
前記第１位置と前記第２位置とは１８０度反対側に定められていることを特徴とする請求項１又は２記載のアナログ表示装置。
【請求項４】
前記第１位置は前記文字板の所定の基準配置方向に対して９時方向であり、前記第２位置は当該基準配置方向に対して３時方向であることを特徴とする請求項３記載のアナログ表示装置。
【請求項５】
前記指針は、その両端が当該指針の回転軸に対して１８０度反対向きの２点を指示し、当該両端の形状、サイズ、配色、模様及び回転軸からの距離のうち少なくとも何れかが異なることを特徴とする請求項３又は４記載のアナログ表示装置。
【請求項６】
回動可能な指針と、
前記指針の指示位置を規定する文字板と、
定められた計測対象に係る計測値を取得する計測手段と、
前記文字板上に規定された所定の第１位置と第２位置との間で前記計測値に応じて定まる指針位置へ前記指針を移動させる駆動制御手段と、
前記第１位置に対応する第１設定値及び前記第２位置に対応する第２設定値を可変に設定する設定手段と、
を備え、
前記駆動制御手段は、前記第１設定値及び前記第２設定値が示されない状態で、前記第１設定値及び前記第２設定値に対する前記計測値の相対値に応じた相対指針位置へ前記指針を移動させ、
前記第１位置と前記第２位置とは１８０度反対側に定められており、
前記指針は、その両端が当該指針の回転軸に対して１８０度反対向きの２点を指示し、当該両端の形状、サイズ、配色、模様及び回転軸からの距離のうち少なくとも何れかが異なることを特徴とするアナログ表示装置。
【請求項７】
前記第１位置は前記文字板の所定の基準配置方向に対して９時方向であり、前記第２位置は当該基準配置方向に対して３時方向であることを特徴とする請求項６記載のアナログ表示装置。
【請求項８】
外部機器と通信を行う通信手段を備え、
前記設定手段は、前記第１設定値及び前記第２設定値の情報を前記通信手段により前記外部機器から取得する
ことを特徴とする請求項１〜７の何れか一項に記載のアナログ表示装置。
【請求項９】
前記第１設定値及び前記第２設定値は、時間経過に応じて変化する値であり、
前記設定手段は、所定の設定間隔で前記通信手段により外部機器から前記第１設定値及び前記第２設定値を取得する
ことを特徴とする請求項８記載のアナログ表示装置。
【請求項１０】
前記計測手段は、現在日時を計数する計時手段を備え、
当該アナログ表示装置は、前記現在日時を表示する時刻指針を備える電子時計である
ことを特徴とする請求項１〜９の何れか一項に記載のアナログ表示装置。
【請求項１１】
回動可能な指針と、
前記指針の指示位置を規定する文字板と、
前記文字板及び前記指針を部分的に露出する開口部が設けられた遮蔽板と、
定められた計測対象に係る計測値を取得する計測手段と、
前記文字板上に規定された所定の第１位置と第２位置との間で前記計測値に応じて定まる指針位置へ前記指針を移動させる駆動制御手段と、
前記第１位置に対応する第１設定値及び前記第２位置に対応する第２設定値を可変に設定する設定手段と、
を備え、
前記駆動制御手段は、前記第１設定値及び前記第２設定値が示されない状態で、前記第１設定値及び前記第２設定値に対する前記計測値の相対値に応じた相対指針位置へ前記指針を移動させ、
前記文字板及び前記指針は、前記遮蔽板より低く配置され、前記開口部は、１２時側半分の半円状であり、
前記指針は、１２時側の１８０度の範囲で前記開口部から露出し、６時側の１８０度の範囲で前記遮蔽板の裏側に隠れる
ことを特徴とするアナログ表示装置。
【発明の詳細な説明】
【技術分野】
【０００１】
この発明は、指針を用いたアナログ表示を行うアナログ表示装置に関する。
【背景技術】
【０００２】
従来、指針を用いて種々の内容をアナログ表示するアナログ表示装置がある。アナログ表示装置としては、取得された計測値や動作種別などに応じて所定の目盛位置を指し示すものや、日時や経過時間の変化に応じて表示内容を変化させていくものなどが知られている。
【０００３】
また、太陽や月が見える方向など、暦に係る表示を行うことが可能なアナログ表示装置がある。特許文献１では、２４時間表示で時刻の表示を行う指針の指し示す方向により現在日時と現在の太陽の方向とが知得可能な時計において、季節ごとの日の出方向や日の入方向を指針の回転軸の位置から放射状に示して目安とさせる技術について開示されている。
また、特許文献２では、日の出時刻や日の入時刻までの残り時間を所定時間前からカウントダウン表示することの出来るアナログ電子時計について開示されている。
【先行技術文献】
【特許文献】
【０００４】
【特許文献１】特表２００３−５０２６４８号公報
【特許文献２】特開２０１１−１２２９５２号公報
【発明の概要】
【発明が解決しようとする課題】
【０００５】
しかしながら、アナログ表示装置において計測表示対象に応じた目盛が固定されて一又は複数設けられ、単純に指針表示されても、表示内容、表示範囲や指針の動作範囲が制限されて、却って結果が読み取り難くなるという課題がある。
【０００６】
また、特に携帯型など小型のアナログ表示装置では、目盛が煩雑になって計測結果の知得に時間がかかったり細かい表示の読み取り自体が困難になったりして、近年併用されるスマートフォンなどのモバイル機器を含むデジタル表示機器に対してアドバンテージに乏しいという課題がある。
【０００７】
この発明の目的は、ユーザがより体感的且つ容易に計測結果の傾向を知得することが可能なアナログ表示装置を提供することにある。
【課題を解決するための手段】
【０００８】
上記目的を達成するため、本発明は、
回動可能な指針と、
前記指針の指示位置を規定する文字板と、
前記文字板及び前記指針を部分的に露出する開口部が設けられた遮蔽板と、
定められた計測対象に係る計測値を取得する計測手段と、
前記計測手段は、現在日時を計数する計時手段を備え、
前記文字板上に規定された所定の第１位置と第２位置との間で前記計測値に応じて定まる指針位置へ前記指針を移動させる駆動制御手段と、
前記第１位置に対応する第１設定値及び前記第２位置に対応する第２設定値を可変に設定する設定手段と、
を備え、
前記指針は、前記文字板上で少なくとも所定の回転方向に周回動作可能であり、
前記駆動制御手段は、前記第１設定値及び前記第２設定値が示されない状態で、前記第１設定値及び前記第２設定値に対する前記計測値の相対値に応じた相対指針位置へ前記指針を移動させ、
前記第１設定値は所定の開始時刻であり、前記第２設定値は所定の終了時刻であり、前記計測対象は前記開始時刻からの経過時間であり、
前記駆動制御手段は、前記指針を所定角度ずつ移動させる第１駆動間隔を算出し、前記開始時刻から前記第１駆動間隔で、前記指針を前記第１位置から前記所定角度ずつ移動させ、
前記駆動制御手段は、前記終了時刻から次の前記開始時刻までの間に前記指針を前記第２位置から前記第１位置まで前記所定の回転方向に前記所定角度ずつ移動させる第２駆動間隔を算出し、前記終了時刻から前記第２駆動間隔で前記指針を前記所定角度ずつ移動させ、
前記開口部からは、前記所定の回転方向に前記指針の前記第１位置から前記第２位置までの移動動作が露出され、
前記文字板及び前記指針は、前記遮蔽板より低く配置され、前記開口部は、１２時側半分の半円状であり、
前記指針は、１２時側の１８０度の範囲で前記開口部から露出し、６時側の１８０度の範囲で前記遮蔽板の裏側に隠れる
ことを特徴とするアナログ表示装置である。
【発明の効果】
【０００９】
本発明に従うと、アナログ表示装置において、ユーザがより感覚的且つ容易に計測結果の傾向を知得することが出来るという効果がある。
【図面の簡単な説明】
【００１０】
【図１】本発明の実施形態の表示システムの全体図である。
【図２】アナログ電子時計の小窓表示を拡大した平面図である。
【図３】アナログ電子時計の機能構成を示すブロック図である。
【図４】スマートフォンの機能構成を示すブロック図である。
【図５】アナログ電子時計のＲＡＭに記憶された設定の例を示す図表である。
【図６】アナログ電子時計とスマートフォンとの間の通信手順を示すシーケンス図である。
【図７】電子時計で実行される設定更新処理の制御手順を示すフローチャートである。
【図８】電子時計で実行される運針処理の制御手順を示すフローチャートである。
【図９】スマートフォンで実行される設定送信処理の制御手順を示すフローチャートである。
【図１０】スマートフォンで実行される設定取得処理の制御手順を示すフローチャートである。
【図１１】変形例１の電子時計の機能構成を示すブロック図である。
【図１２】変形例１の電子時計の小窓内における表示例を示す図である。
【図１３】変形例２の電子時計の機能構成を示すブロック図である。
【図１４】変形例２の電子時計の小窓内における表示例を示す図である。
【図１５】変形例２のアナログ電子時計において実行される運針処理の制御手順を示すフローチャートである。
【発明を実施するための形態】
【００１１】
以下、本発明の実施の形態を図面に基づいて説明する。
図１は、本発明の実施形態のアナログ表示装置を含む表示システムの全体構成を示す図である。
この表示システムは、アナログ表示装置としてのアナログ電子時計４０と、外部機器としてのスマートフォン１０と、外部サーバ９０を含んで構成されている。
【００１２】
アナログ電子時計４０とスマートフォン１０との間では、ブルートゥース（登録商標：Bluetooth）を用いた近距離無線通信の通信接続により相互にデータの送受信が可能となっている。スマートフォン１０は、無線ＬＡＮや携帯電話回線を介して外部サーバ９０にインターネット接続が可能となっている。
【００１３】
アナログ電子時計４０は、複数の指針が文字板４００に平行な面内で回転動作することで日時や所定の機能に係る表示を行う。文字板４００には、２つの小窓４０１、４０２と、開口部４０３とが設けられている。小窓４０１内では、２４時間指針６５が回転動作する。小窓４０２は、半円状に１２時側半分１８０度の範囲が露出されて当該露出された範囲で小針６６（回動可能な指針）の回転動作が視認可能となっている。開口部４０３からは、文字板に平行な面内で回転可能に設けられた円盤である日車６４の回転動作に応じてその周縁部に設けられた「１」〜「３１」の各日付を示す日付標識の一つが選択的に露出可能となっている。秒針６１、分針６２及び時針６３は、文字板４００の略中心を回転軸として文字板４００上で回転動作する。
以降では、秒針６１、分針６２、時針６３、日車６４、２４時間指針６５及び小針６６のうち一部又は全部をまとめて指針６１〜６６のようにも記す。これらのうち、指針６１〜６５が日時を表示させるための時刻指針である。
【００１４】
文字板４００に対してアナログ電子時計４０の側面側には、りゅうず４７１が設けられていて、引き出し操作及び回転操作が可能となっている。
【００１５】
図２は、小窓４０２内を拡大して示す平面図である。
小窓４０２の文字板（指示位置を規定する文字板）及び小針６６は、文字板４００（遮蔽板）に対して一段低く形成されており、小針６６の動作が指針６１〜６３による日時表示に係る１２時（基準配置方向）側の１８０度の範囲でのみ文字板４００の開口部分から露出され、６時側１８０度の範囲では文字板４００の裏側に隠蔽される。小針６６は、図２（ａ）に示すように、一端に太陽を示す形状の標章が設けられており、また、図２（ｂ）に示すように、他端に月を示す形状の標章が設けられている。これら太陽を示す形状の標章と、月を示す形状の標章とは、小針６６の回転軸に対して１８０度反対側（両端）に設けられ、小窓４０２からは何れか一方が選択的に半周ずつ露出される。これにより、太陽を示す形状の標章が小窓４０２で何れかの位置を指し示すことにより昼間であることが示され、また、月を示す形状の標章が小窓４０２で何れかの位置を指し示すことにより夜間であることが示される。なお、小針６６の両端は、昼間と夜間とを区別することが可能であれば、標章の形状に加えて又は代えて、サイズ（太さ）、配色、模様若しくは回転軸からの長さ又はこれらの組み合わせなどを異ならせることとしても良い。或いは、針状の指針の代わりに回転可能な円板（ディスク）に指示位置を表す標識などが印されたものが用いられても良い。
ここでは、小針６６は、実際の日出時刻及び日の入時刻によらず、太陽を示す標章が９時方向から小窓４０２内に半分出現したタイミングが日出時刻（第１設定値、開始時刻）であり、３時方向から小窓４０２の外側（文字板４００の下）に半分消えたタイミングが日の入時刻（第２設定値、終了時刻）となるように動作制御されることで、昼間の時間と夜間の時間の比率によらずに常に昼間又は夜間における時間経過（開始時刻からの経過時間）の相対的な度合が示される。即ち、半円形の小窓４０２の直線部分が日出時刻に対応する位置（第１位置）及びこの位置と１８０度反対側の日の入時刻に対応する位置（第２位置）を規定する。
【００１６】
外部サーバ９０は、ＨＴＴＰなど各種プロトコルを用いてインターネットを経由して外部からアクセス可能なデータベースサーバ（コンピュータ）である。
外部サーバ９０は、データベース記憶部を備え、アナログ電子時計４０で設定可能な世界各地の都市（エリア）における最新のタイムゾーン情報、夏時間の実施情報（実施有無、実施期間及び実施時のシフト時間）が全て記憶されている。また、このデータベース記憶部には、これらの各都市と関連付けられて、当該各都市のそれぞれにおける直近の日数の日出予定時刻及び日の入予定時刻が記憶されており、インターネットを介してスマートフォン１０から取得可能となっている。
【００１７】
図３は、アナログ電子時計４０の機能構成を示すブロック図である。
アナログ電子時計４０は、複数の指針を電気的に回転動作させて日時及び所定の機能に係る表示を行うことが可能な電子時計である。アナログ電子時計４０は、ＣＰＵ４１（Central Processing Unit）（駆動制御手段、設定手段）と、ＲＯＭ４２（Read Only Memory）と、ＲＡＭ４３（Random Access Memory）と、発振回路４４と、分周回路４５と、計時部４６（計時手段）と、操作受付部４７と、Bluetoothモジュール４８（通信手段）及びそのアンテナＡＮ４と、ＵＡＲＴ４９（Universal Asynchronous Receiver/Transmitter）と、駆動回路５１と、照明部５２及びそのドライバ５３と、ブザー部５４及びそのドライバ５５と、秒針６１と、分針６２と、輪列機構７１を介して秒針６１及び分針６２を回転動作させるステッピングモータ８１と、時針６３と、日車６４と、輪列機構７２を介して時針６３及び日車６４を回転動作させるステッピングモータ８２と、２４時間指針６５と、輪列機構７３を介して２４時間指針６５を回転動作させるステッピングモータ８３と、小針６６と、輪列機構７４を介して小針６６を回転動作させるステッピングモータ８４と、バス５６などを備えている。
【００１８】
ＣＰＵ４１は、種々の演算処理を行い、アナログ電子時計４０の全体動作を統括制御する。ＣＰＵ４１は、ＲＯＭ４２からアナログ電子時計４０の動作に係る各種プログラムを読み出して実行する。
【００１９】
ＲＯＭ４２には、アナログ電子時計４０の動作に係る各種制御プログラム及び初期設定データが格納されている。この制御プログラムには、スマートフォン１０との通信を行うための通信制御プログラム４２１が含まれている。ＲＯＭ４２は、マスクＲＯＭに加えて内容の書き換えが可能な不揮発性メモリが含まれていても良い。
【００２０】
ＲＡＭ４３は、ＣＰＵ４１に作業用のメモリ空間を提供し、また、一時データを記憶する。ＲＡＭ４３の記憶する一時データには、現在位置（都市やエリア、所定の位置）の情報や当該現在位置の属する地方時設定などを含むエリア設定を記憶するエリア設定情報４３２と、この現在位置における少なくとも直近の日の出時刻及び日の入時刻を記憶する日出入情報４３１とが含まれる。ＲＡＭ４３には、安価で高速の読み書きが可能なＤＲＡＭなどの揮発性メモリが主に用いられるが、ＳＲＡＭが含まれていても良く、また、同様に高速動作が可能な不揮発性メモリが含まれていても良い。
【００２１】
エリア設定情報４３２は、現在位置における地方時設定を含む。地方時設定には、現在位置として設定されている都市やエリアの情報、当該都市やエリアが属するタイムゾーンに係る情報、及び当該都市における夏時間の実施に係る情報を含む。
日出入情報４３１は、現在位置における少なくとも直近の日出時刻及び日の入時刻を含む。日出入情報４３１として記憶される情報は、複数日分のものであっても良く、メモリ容量などに応じて適宜定められる。また、現在位置、即ち、エリア設定情報４３２で設定されている都市やエリアが変更になった場合には、日出入情報４３１は、全て初期化され、新たに取得される。
なお、タイムゾーンが広い場合には、同一タイムゾーン内で日出時刻及び日の入時刻が大きく異なる場合もあるので、一のタイムゾーン及び一の夏時間実施ルールの適用エリアに対して都市やエリア及びその日出時刻や日の入時刻が一意に定められる必要はなく、更に細かい都市やエリア及び当該都市やエリアに応じた日出時刻や日の入時刻が設定されても良い。
【００２２】
発振回路４４は、所定の周波数信号を生成して出力する。分周回路４５は、発振回路４４が出力した周波数をアナログ電子時計４０で用いられる適宜な周波数の信号に分周して出力する。
計時部４６は、分周回路４５から入力された信号の入力を計数して当該入力回数を初期日時データに加算することにより現在日時を計数、保持するカウンタである。計時部４６は、ハードウェア構成としてのカウンタに限られず、ＣＰＵ４１の制御によりソフトウェア的に計数された現在日時がＲＡＭ記憶される構成であっても良い。このＲＡＭは、ＲＡＭ４３と同一であっても良いし、別個に設けられていても良い。
【００２３】
計時部４６は、所定の基準に基づきＵＴＣ（協定世界時）などの現在日時に換算可能な独自の計数値を計数して、必要に応じてＵＴＣ日時や現在位置として設定されている都市における地方時に換算して取得するものであっても良いし、或いは、ＵＴＣ日時や現在位置の地方時を直接計数するものであっても良い。計時部４６が計数する現在日時は、ＣＰＵ４１からの制御信号により修正可能である。
【００２４】
操作受付部４７は、外部からの入力を受け付ける機構としてりゅうず４７１を有し、ユーザによる入力操作に応じた電気信号を発生させて入力信号としてＣＰＵ４１に出力する。操作受付部４７へのユーザ操作により、例えば、ＤＳＴ設定の切替や、世界時計の都市設定変更を行うことが可能となっている。操作受付部４７としては、りゅうず４７１に代えて又は加えて押しボタンスイッチなどの操作機構が設けられていても良い。
【００２５】
Bluetoothモジュール４８は、アンテナＡＮ４を介してスマートフォン１０などの外部機器との間でブルートゥースによる通信を行うための制御モジュールである。ＣＰＵ４１から送られた送信データは、ＵＡＲＴ４９でシリアル／パラレル変換などの処理が行われて、Bluetoothモジュール４８から外部機器に送信される。また、アンテナＡＮ４及びBluetoothモジュール４８により受信された受信データは、ＵＡＲＴ４９でシリアル／パラレル変換などの処理が行われて、ＣＰＵ４１へ出力される。
【００２６】
照明部５２は、ＣＰＵ４１からの制御信号によりドライバ５３から出力された駆動電圧に応じてアナログ電子時計４０の文字板を照明する。照明部５２としては、例えば、ＬＥＤ（発光ダイオード）が用いられる。また、ブザー部５４は、ＣＰＵ４１からの制御信号によりドライバ５５から出力された駆動信号に応じてブザー音（ビープ音）を発生させる。ブザー音の発生機構としては、例えば、圧電素子と金属板を組み合わせて圧電素子に印加する電圧に応じて金属板を振動させる方式を用いることが出来る。
【００２７】
駆動回路５１は、ＣＰＵ４１からの制御信号に基づいて、指針６１〜６６を回転動作させるための駆動信号をステッピングモータ８１〜８４に適切なタイミング、長さ及び電圧振幅で出力する。
【００２８】
ステッピングモータ８１〜８４は、駆動回路５１からの駆動信号に応じて所定の角度（例えば、１８０度）ずつロータがステータに対して回転駆動され、それぞれ、指針６１〜６６を回転させる歯車列である輪列機構７１〜７４の各歯車を予め定まった角度ずつ回転させる。ここでは、例えば、ステッピングモータ８１は、ロータの１回の回転につき秒針６１を６度回転させ、ステッピングモータ８２〜８４は、ロータの１回の回転につき、それぞれ、時針６３、２４時間指針６５、及び小針６６を１度（所定角度）回転させる。分針６２は、秒針６１に対して回転角度が１：６０の比率で連動して回転する。日車６４は、特には限られないが、例えば、時針６３が２周（７２０度）回転する間の所定の１２０度の回転角度（１０時から２時までなど）の間でのみ回転動作し、当該１２０度の回転の間に、３／３１度ずつ合計３６０／３１度回転する。日車６４の周縁部には、３６０／３１度間隔で「１」〜「３１」の数字が示された日付標識が設けられ、何れか一つが文字板４００に設けられた開口部４０３から露出されることで日付が示される。これらのステッピングモータ８１〜８４は、何れも指針６１〜６６を正転方向（時計回り、所定の回転方向）と逆転方向（反時計回り）の何れの向きにも回転させることが可能である。
【００２９】
バス５６は、ＣＰＵ４１と各部との間で信号のやり取りを行うための信号経路である。
【００３０】
図４は、スマートフォン１０の機能構成を示すブロック図である。
スマートフォン１０は、ＣＰＵ１１と、ＲＯＭ１２と、ＲＡＭ１３と、記憶部１４と、内蔵時計１５と、表示部１６及びそのドライバ１７と、操作受付部１８と、スピーカ１９と、マイク２０と、コーデック２１と、ＲＦ送受信回路２２と、ＲＦ通信電波の送受信用のアンテナＡＮ１１と、通信回路２３と、Bluetoothモジュール２４と、ＵＡＲＴ２５と、ブルートゥースによる通信電波の送受信用のアンテナＡＮ１２と、衛星電波受信処理部２６と、測位衛星の電波受信用のアンテナＡＮ１３と、ＵＡＲＴ２７と、報知部２８及びそのドライバ２９と、バス３０などを備えている。
【００３１】
ＣＰＵ１１は、各種演算処理を行い、スマートフォン１０の全体動作の統括制御を行う。また、ＣＰＵ１１は、衛星電波受信処理部２６が測位衛星から受信した電波に基づいて算出した現在位置を取得し、或いは、ＲＦ送受信回路２２が接続される携帯電話通信の基地局の情報に基づいてスマートフォン１０の現在位置を特定する。また、ＣＰＵ１１は、設定取得管理アプリ１４１により、アナログ電子時計４０の設定情報（エリア設定情報及び日出入情報）を定期的に及び必要なタイミングで外部サーバ９０から取得して保持し、スマートフォン１０とアナログ電子時計４０とがブルートゥース通信により接続された場合にアナログ電子時計４０に当該設定情報を送信する。
【００３２】
ＲＯＭ１２は、ＣＰＵ１１が実行する種々のプログラムや初期設定データを格納する。なお、ＲＯＭ１２の少なくとも一部は、書き換え可能な不揮発性メモリであっても良い。
ＲＡＭ１３は、ＣＰＵ１１に作業用のメモリ空間を提供し、作業用の一時データを記憶する揮発性メモリである。ＲＡＭ１３には、ブルートゥース通信による接続先となるアナログ電子時計４０の情報を接続先情報１３１として記憶保持させておくことで、アナログ電子時計４０に対して適切なデータを速やかに送信することが出来る。
【００３３】
記憶部１４は、読み取り及び上書き更新が可能な不揮発性のメモリ、例えば、フラッシュメモリやＥＥＰＲＯＭ（Electrically Erasable and Programmable Read Only Memory）を備える。この記憶部１４に記憶されるデータには、設定取得管理アプリ１４１、日出入情報１４２、エリア設定情報１４３、及び都市設定情報１４４が含まれる。ＣＰＵ１１は、設定取得管理アプリ１４１を読み出して実行し、地方時設定に係るエリア設定情報１４３及び現在位置における日の出時刻や日入時刻に係る日出入情報１４２を更新すると共に、アナログ電子時計４０とブルートゥース通信による通信接続がなされた場合に当該更新データをアナログ電子時計４０に送信する。従って、アナログ電子時計４０に更新データを送信した後は、エリア設定情報１４３及び日出入情報１４２は、それぞれエリア設定情報４３２及び日出入情報４３１と同一になり得る。或いは、アナログ電子時計４０に送信される更新データは、エリア設定情報１４３及び日出入情報１４２のうち必要な一部であっても良い。例えば、エリア設定情報１４３及び日出入情報１４２には、過去の設定履歴情報などが含まれていても良い。
【００３４】
都市設定情報１４４は、衛星電波受信処理部２６により取得された現在位置の緯度経度に基づいて、現在位置が属するタイムゾーン及び夏時間実施ルール設定地域、並びに当該タイムゾーン及び夏時間実施ルール設定地域に属する都市やエリア名を特定するテーブルデータである。このテーブルデータは、例えば、所定の緯度経度間隔で区切られたメッシュに対して属するタイムゾーン及び夏時間実施ルール設定地域に係る都市（エリア名）を示す識別番号を保持するマップデータと、識別番号と都市名とを対応付ける対照テーブルとからなる。なお、この都市設定情報１４４をスマートフォン１０で保持せずに、外部サーバ９０に緯度経度の値を送信することで対応する都市が当該外部サーバ９０から取得可能であっても良い。
【００３５】
図５は、記憶部１４に記憶された設定情報の例を示す図表である。
記憶部１４には、衛星電波受信処理部２６から取得された現在位置の緯度経度が記憶され、また、この現在位置に応じたタイムゾーンの時差情報、夏時間の実施有無に係るシフト時間情報、夏時間の適用有無設定情報、及び当該タイムゾーンの代表都市情報が設定され、エリア設定情報１４３として記憶される。これらの設定に基づいた現在の地方時が内蔵時計１５の日時から換算されて算出される。
【００３６】
また、このエリア設定情報１４３に対応する日出時刻、日の入時刻及び隣接する日出時刻及び日の入時刻間における小針６６の運針間隔が日出入情報１４２として記憶される。これらの日出時刻、日の入時刻及び運針間隔は、当日の分だけではなく、予め設定された所定回数分記憶させることが出来る。また、数日おき、例えば、５日間隔で日出時刻及び日の入時刻が記憶されて、この中間の日時の日出時刻及び日の入時刻はそれぞれ線形補間により算出されても良い。算出される運針間隔に端数が生じる場合、端数分の累積が所定時間、例えば、１秒を超えるごとに調整を行っても良い。或いは、アナログ電子時計４０のデザイン上それほど正確な表示が要求されない使用状況、タイムゾーン設定などに基づいて定められている現在位置と正確な現在位置との相違や、現在位置の高度及び地平線の形状などによって生じるずれなどを考慮して、１分未満程度のタイミングずれが許容されても良い。
【００３７】
内蔵時計１５は、現在日時を計数して保持するカウンタである。この現在日時は、ＣＰＵ１１の動作によりソフトウェア的に計数されてＲＡＭなどに記憶されても良い。内蔵時計１５は、ＲＴＣ（Real Time Clock）を有し、スマートフォン１０の電源がオフされた後に再起動された場合には、このＲＴＣから日時データが取得されて計数が再開される。スマートフォン１０では、この内蔵時計１５の現在日時が読み出されて、必要に応じてタイムゾーンや夏時間の実施設定に応じて地方時を算出し、表示部１６に表示されたり種々の処理に利用されたり、また、当該現在日時と各種機能に係る設定時刻とが比較されて種々の動作が行われたりする。この内蔵時計１５の現在日時データは、ＲＦ送受信回路２２による携帯電話通信の基地局との通信時に、随時当該基地局から取得される時刻データにより修正される。
【００３８】
表示部１６は、各種表示を行う表示画面を備える。表示画面としては、例えば、液晶ディスプレイ（ＬＣＤ）が用いられる。ＣＰＵ１１から送られる制御信号により動作するドライバ１７（液晶ドライバ）は、当該制御信号に応じてＬＣＤを駆動して表示画面に各種機能に係る表示を行わせる。この表示部１６は、他の表示方式の表示画面、例えば、有機ＥＬＤ（Electro-Luminescent Display）を備えても良く、ドライバ１７は、表示画面の表示方式に応じて適宜選択される。
【００３９】
操作受付部１８は、タッチパネルを備え、表示部１６の表示画面に重ねて設けられたこのタッチパネルに対するユーザのタッチ操作位置と操作内容とを検出して当該操作に応じた電気信号を発生させ、入力信号としてＣＰＵ１１に出力する。操作受付部１８は、更に、一又は複数の操作キーやスイッチ（押しボタンスイッチやスライドスイッチなど）を備え、ユーザが当該操作キーやスイッチに対して行った操作に基づく入力信号をＣＰＵ１１に出力する構成であっても良い。
【００４０】
スピーカ１９は、コーデック２１からの信号に基づいて電気信号を音声信号に変換して音声を出力する。また、マイク２０は、音波を検知して電気信号に変換し、コーデック２１に出力する。コーデック２１は、符号化圧縮されたデジタル音声信号をデコードしてアナログ信号としてスピーカ１９へ送るとともに、マイク２０から取得された音声信号をエンコードしてＣＰＵ１１や通信回路２３へ出力する。スピーカ１９は、通話用のスピーカと、着信音や操作音などを外部に出力するためのスピーカとを別個に備えることとすることが出来る。
【００４１】
ＲＦ送受信回路２２は、アンテナＡＮ１１を介して携帯電話通信の基地局との間で行われる電話通信やデータ通信に係る信号の送受信処理を行う。通信回路２３は、ＲＦ送受信回路２２により送受信される送受信データに係る各種処理を行い、ＣＰＵ１１やコーデック２１との間でデータの受け渡しを行う。また、ＲＦ送受信回路２２は、無線ＬＡＮのアクセスポイントに接続して、無線ＬＡＮを介して外部サーバ９０を含むインターネット上の各所とデータの送受信（データ通信）を行うことが可能となっている。
【００４２】
Bluetoothモジュール２４は、アンテナＡＮ１２を介してアナログ電子時計４０などの外部機器との間でブルートゥースによる通信を行うための制御モジュールである。ＣＰＵ１１から送られた送信データは、ＵＡＲＴ２５でシリアル／パラレル変換などの処理が行われて、Bluetoothモジュール２４から外部機器に送信される。また、外部機器からBluetoothモジュール２４を用いて受信された受信データは、ＵＡＲＴ２５でパラレル／シリアル変換などの処理が行われて、ＣＰＵ１１へ出力される。
【００４３】
衛星電波受信処理部２６は、アンテナＡＮ１３を介して複数の測位衛星、主にＧＰＳ衛星（Global Positioning System）からのＬ１帯（ＧＰＳ衛星では、１．５７５４２ＧＨｚ）の電波を受信し、信号（航法メッセージ）を解読して現在位置を算出する。算出された現在位置及び算出に係る付加情報などは、所定のフォーマットでＵＡＲＴ２７を介してＣＰＵ１１に出力される。
【００４４】
報知部２８は、所定の報知動作を行う。報知部２８としては、例えば、回転モータを用いた振動モータ、ＬＥＤランプやビープ音を発生する圧電素子及び振動板などが挙げられる。ＣＰＵ１１からドライバ２９に制御信号が送られると、ドライバ２９は、報知部２８を動作させるのに必要な電圧信号に変換して出力する。
【００４５】
バス３０は、ＣＰＵ１１とスマートフォン１０の他の各構成との間で信号の送受信を行うためのデータ経路である。
【００４６】
次に、本実施形態のアナログ電子時計４０による設定情報の取得動作及び日出入の表示動作について説明する。
本実施形態のアナログ電子時計４０では、スマートフォン１０から取得された日出時刻及び日の入時刻の情報に応じて現在時刻の昼間又は夜間の何れかにおける相対的な経過度合（日出時刻及び日の入時刻に対する現在時刻の相対値）を算出し、固定された小窓４０２の範囲内で小針６６に当該相対値に応じた指針位置（相対指針位置）を指し示させる。
【００４７】
図６は、アナログ電子時計４０とスマートフォン１０との間での設定データの送受信を示すシーケンス図である。
先ず、アナログ電子時計４０からスマートフォン１０に対して通信接続要求を行い、スマートフォン１０との間でブルートゥースによる通信接続を確立する。それから、スマートフォン１０がアナログ電子時計４０に対して日出入情報１４２及びエリア設定情報１４３（即ち、タイムゾーン情報及び夏時間の実施情報）を現在日時データと共に送信し、アナログ電子時計４０は、これらのデータを受信すると、スマートフォン１０との通信接続を解除する。
【００４８】
図７は、アナログ電子時計４０で実行される設定更新処理のＣＰＵ４１による制御手順を示すフローチャートである。
この設定更新処理は、アナログ電子時計４０において予め設定された時刻に一日一回（所定の設定間隔）自動的に起動されて実行される。
【００４９】
設定更新処理が起動されると、ＣＰＵ４１は、Bluetoothモジュール２４を起動し、スマートフォン１０からのブロードキャストを受信して当該スマートフォン１０に対して通信接続の要求を送信する（ステップＳ４０１）。通信接続が確立されると、ＣＰＵ４１は、スマートフォン１０からの設定データの送信を待ち受け、設定データを受信する（ステップＳ４０２）。
【００５０】
ＣＰＵ４１は、取得された現在日時に基づいて計時部４６が計数する日時を修正する（ステップＳ４０３）。また、ＣＰＵ４１は、受信したエリア設定情報、即ち、地方時設定に係るタイムゾーン情報及び夏時間実施情報をエリア設定情報４３２として記憶させ、これらの設定情報に基づいて地方時を算出可能とする（ステップＳ４０４）。
【００５１】
ＣＰＵ４１は、受信した日出入情報、即ち、日出時刻、日の入時刻、昼間の小針６６の運針間隔（第１運針間隔）及び夜間の小針６６の運針間隔（第２運針間隔）を日出入情報４３１として記憶させる（ステップＳ４０５）。なお、運針間隔は、受信した日出時刻及び日の入時刻と、小針６６の運針ステップ情報とに基づいてＣＰＵ４１により算出されても良い。ＣＰＵ４１は、スマートフォン１０との通信接続を解除し（ステップＳ４０６）、設定更新処理を終了する。
【００５２】
図８は、アナログ電子時計４０における日時表示状態に係る運針処理の制御手順を示すフローチャートである。
【００５３】
この運針処理は、日時表示状態において呼び出されて継続的に実行される。運針処理が開始されると、ＣＰＵ４１は、駆動回路５１に制御信号を出力して各指針６１〜６６を現在の日時に対応する位置にそれぞれ移動させる（ステップＳ４２１）。
【００５４】
ＣＰＵ４１は、秒針６１及び分針６２の移動タイミングで駆動回路５１にこれらの指針６１、６２に係るステッピングモータ８１を駆動させる制御信号を出力する（ステップＳ４２２）。ＣＰＵ４１は、時針６３の動作タイミングであるか否かを判別し（ステップＳ４２３）、動作タイミングではないと判別された場合には（ステップＳ４２３で“ＮＯ”）、処理をステップＳ４２７に移行させる。
【００５５】
時針６３の動作タイミングであると判別された場合には（ステップＳ４２３で“ＹＥＳ”）、ＣＰＵ４１は、駆動回路５１に制御信号を出力して、ステッピングモータ８２を駆動させる（ステップＳ４２４）。次いで、ＣＰＵ４１は、２４時間指針６５の動作タイミングであるか否かを判別し（ステップＳ４２５）、動作タイミングではないと判別された場合には（ステップＳ４２５で“ＮＯ”）、処理をステップＳ４２７に移行させる。動作タイミングであると判別された場合には（ステップＳ４２５で“ＹＥＳ”）、ＣＰＵ４１は、駆動回路５１に制御信号を出力して、ステッピングモータ８３を駆動させ（ステップＳ４２６）、それから、処理をステップＳ４２７に移行させる。
【００５６】
ステップＳ４２３、Ｓ４２５、Ｓ４２６の何れかの処理からステップＳ４２７の処理に移行すると、ＣＰＵ４１は、小針６６の動作タイミングであるか否かを判別する（ステップＳ４２７）。ＣＰＵ４１は、前回の小針６６の動作タイミングからの経過時間（運針間隔カウント値）をカウントし、小針６６の動作タイミングではない、即ち、経過時間が運針間隔より短いと判別された場合には（ステップＳ４２７で“ＮＯ”）、ＣＰＵ４１の処理は、ステップＳ４２２の処理に戻る。
【００５７】
小針６６の動作タイミングである、即ち、前回の動作タイミングからの経過時間が運針間隔と等しくなったと判別された場合には（ステップＳ４２７で“ＹＥＳ”）、ＣＰＵ４１は、駆動回路５１に制御信号を出力し、小針６６を回転動作させるステッピングモータ８４を駆動させると共に、前回の小針６６の動作タイミングからの経過時間を初期化して「０」からカウントを再開させる（ステップＳ４２８）。ＣＰＵ４１は、現在の日時が日出入時刻であるか否かを判別する（ステップＳ４２９）。日出入時刻ではないと判別された場合には（ステップＳ４２９で“ＮＯ”）、ＣＰＵ４１の処理は、ステップＳ４２２に戻る。日出入時刻であると判別された場合には（ステップＳ４２９で“ＹＥＳ”）、ＣＰＵ４１は、日出入情報４３１を参照し、次の日出入時刻までの運針間隔に変更する（ステップＳ４３０）。それから、ＣＰＵ４１の処理は、ステップＳ４２２に戻る。
【００５８】
図９は、スマートフォン１０で実行される設定送信処理のＣＰＵ１１による制御手順を示すフローチャートである。
この設定送信処理は、Bluetoothモジュール２４がブロードキャストを送信している状態でアナログ電子時計４０からの通信接続要求の受信が検出された場合に起動される。
【００５９】
設定送信処理が起動されると、ＣＰＵ１１は、アナログ電子時計４０との通信接続を確立する処理を行う（ステップＳ１０１）。それから、ＣＰＵ１１は、アナログ電子時計４０に対して現在日時、エリア設定情報及び日出入情報を送信する（ステップＳ１０２）。それから、ＣＰＵ１１は、アナログ電子時計４０からの要求に応じてアナログ電子時計４０との通信接続を解除し（ステップＳ１０３）、設定送信処理を終了する。
【００６０】
図１０は、スマートフォン１０で実行される設定取得処理のＣＰＵ１１による制御手順を示すフローチャートである。
この設定取得処理は、一日一回予め設定された時刻や、衛星電波受信処理部２６や携帯電話基地局などから取得された現在位置が所定の基準距離以上変化した場合などに起動される。
【００６１】
ＣＰＵ１１は、先ず、衛星電波受信処理部２６や携帯電話基地局などから取得されている現在位置を取得する（ステップＳ１３１）。ＣＰＵ１１は、前回の現在位置取得から所定時間以上経過している場合には、このタイミングで現在位置の取得動作を行う（行わせる）。
【００６２】
ＣＰＵ１１は、都市設定情報１４４を参照して現在位置のタイムゾーンに対応する都市を取得する（ステップＳ１３２）。それから、ＣＰＵ１１は、外部サーバ９０にアクセスし（ステップＳ１３３）、取得されている都市（エリア）に応じた日出入時刻を取得する（ステップＳ１３４）。ＣＰＵ１１は、取得された日出入時刻から昼間及び夜間の継続時間を各々計算し、当該継続時間に応じた小針６６の運針間隔を算出して日出入情報１４２として記憶させる（ステップＳ１３５）。そして、ＣＰＵ１１は、設定取得処理を終了する。
【００６３】
以上のように、本実施形態のアナログ電子時計４０は、回動可能な小針６６と、小針６６の指示位置を規定する文字板４と、定められた計測対象に係る計測値（現在時刻及び経過時間）を取得する計測手段としての計時部４６と、ＣＰＵ４１とを備える。ＣＰＵ４１は、駆動制御手段として、文字板４上に規定された所定の第１位置（９時位置）と第２位置（３時位置）との間で計測値に応じて定まる指針位置へ小針６６を移動させ、また、設定手段として、第１位置に対応する日出時刻（第１設定値）及び第２位置に対応する日の入時刻（第２設定値）を可変に設定する。そして、駆動制御手段としてのＣＰＵ４１は、具体的な日出時刻及び日の入時刻が示されない状態で、日出時刻及び日の入時刻に対する現在時刻の相対値に応じた相対指針位置へ小針６６を移動させる。
従って、季節によって変化する具体的な日出時刻や日の入時刻によらず、小窓４０２内において９時位置から３時位置の間で小針６６が指し示す方向によって、ユーザは、より感覚的且つ容易に計測結果の傾向を知得することが可能となる。
【００６４】
特に、アナログ電子時計４０が電子腕時計のように表示部のサイズが小さいものの場合には、具体的な日出時刻や日の入時刻を表示させないので、文字板４上の表示を圧迫せず、また、デザインの自由度を下げない。また、小窓４０２のサイズや形状を変更させずに日の出から日の入までを表示させることが出来るので、小窓４０２の変更動作に係るステッピングモータが省略可能となり、アナログ電子時計４０を小型化したり、他の機能にステッピングモータを利用したりすることが出来る。
【００６５】
また、計測手段には、現在日時を計数する計時部４６が含まれ、第１設定値は所定の開始時刻であり、第２設定値は所定の終了時刻であり、計測対象は開始時刻からの経過時間であり、駆動制御手段としてのＣＰＵ４１は、小針６６を所定角度（ここでは１度）ずつ移動させる第１駆動間隔を算出し、開始時刻から第１駆動間隔で、小針６６を第１位置（９時位置）から所定角度ずつ移動させる。このように、制限時間などのある経過時間の相対的な経過量を小針６６により表示させることで、全体の中での時間配分の状況を容易に知得することが出来る。
【００６６】
また、小針６６は、文字板４００の小窓４０３内で少なくとも正転方向（時計回り）方向に周回動作可能であり、駆動制御手段としてのＣＰＵ４１は、終了時刻（第２設定値）から次の開始時刻（第１設定値）まで、即ち日の入時刻から次の日出時刻までの間に小針６６を第２位置（３時位置）から第１位置（９時位置）まで正転方向に所定角度（１度）ずつ移動させる第２駆動間隔を算出し、終了時刻から第２駆動間隔で小針６６を所定角度（１度）ずつ移動させる。
従って日の出日の入のように毎日繰り返される事象については、翌日の計数表示開始までに無理なく日出時の位置に移動させておくことが出来る。また、小窓４０３内で小針６６の不要な動作を目立たせない。
【００６７】
また、文字板４００は、文字板４及び小針６６を小窓４０２の上側（１２時側）半分で部分的に露出する開口部が設けられた遮蔽板として機能し、開口部となる小窓４０２からは、正転方向に小針６６の第１位置（９時位置）から第２位置（３時位置）までの移動動作が露出される。
これにより、必要な日の出から日の入までの期間のみで表示を行わせることが出来るので、相対範囲を容易且つ明確に理解してその中での相対的な時間経過を容易に知得することが出来る。
また、表示に不要な部分に小窓４０２を割り当てないことで、文字板４上のスペースを節約し、その分をデザインの拡張に用いることが出来る。
【００６８】
また、開始時刻は現在位置における日出時刻であり、終了時刻は、当該現在位置における日の入時刻であるので、具体的な日出時刻や日の入時刻に依存せず、ユーザの常識に従って昼間や夜間における時間の経過具合をユーザに感覚的且つ容易に知得させることが出来る。
【００６９】
また、第１位置と第２位置とを１８０度反対側に定めることで、ユーザに計測値の相対的な度合をより感覚的に容易に知得させることが出来る。
【００７０】
また、開始時刻は文字板４の１２時方向を基準として、所定の位置（現在位置）における日出時刻に対して９時方向であり、第２位置は当該１２時方向を基準として３時方向でとすることで、日が昇ってから日が沈むまでの間の相対時間の経過をより感覚的に知得可能に表現させることが出来る。特に、このような表示を日出入の表現に用いることで太陽の移動に応じてユーザの感覚に従った分かり易い表現とすることが出来る。
【００７１】
また、小針６６は、その両端が当該小針６６の回転軸に対して１８０度反対向きの２点を指示し、当該両端には、異なる形状の装飾、ここでは、太陽形状と月形状のものがそれぞれ設けられている。これにより、一方の端部が小窓４０２外にある場合に他方の端部が小窓４０２内にあり、しかもの端部が小窓４０２内にあるかが容易に知得出来るので、昼間と夜間、作業時間と休憩時間などの動作の反復組み合わせ時に容易に各時間の経過の度合を知得することが出来る。
【００７２】
また、スマートフォン１０などの外部機器と通信を行うBluetoothモジュール４８を備え、設定手段としてのＣＰＵ４１は、第１設定値及び第２設定値の情報をBluetoothモジュール４８によりスマートフォン１０から取得する。
このように、より操作が容易で処理能力の高い外部機器から設定情報を取得することで、アナログ電子時計４０自体で設定を行う手間を軽減することが出来る。また、スマートフォン１０が更に外部サーバ９０などから必要な情報を随時取得することで、ユーザの手を煩わさずにより表現の幅を広げることが出来る。
【００７３】
また、日出時刻（第１設定値）及び日の入時刻（第２設定値）は、時間経過に応じて毎日変化する値であり、設定手段としてのＣＰＵ４１は、一日一回所定のタイミング、即ち２４時間間隔でBluetoothモジュール４８によりスマートフォン１０から自動的に第１設定値及び第２設定値を取得する。
これにより、ユーザが一切設定動作に関知せずとも容易かつ確実に日付に応じた最新の日出時刻及び日の入時刻を取得して、昼間や夜間の相対的な経過状況を適切に表示させ、ユーザに知得させることが出来る。
【００７４】
また、現在日時を表示する時刻指針である指針６１〜６５を備える電子時計で上述の表示を行わせることが出来るので、電子時計を単に日時を正確に表示するためのツールとしてだけではなく、より表現の幅を広げたデバイスとして用いることが出来る。
【００７５】
［変形例１］
図１１は、変形例１のアナログ電子時計４０ａの機能構成を示すブロック図である。
アナログ電子時計４０ａは、サブ小針６７、及び輪列機構７５を介してこのサブ小針６７を回転動作させるステッピングモータ８５を更に備える点を除いて上述の実施形態のアナログ電子時計４０と同一の構成であり、同一の構成要素には同一の符号を付して説明を省略する。
【００７６】
本変形例１のアナログ電子時計４０ａは、２４時間指針６５により、現在位置における地方時に加えて世界の何れかの地域における地方時を表示する世界時計機能を有する。サブ小針６７は、この世界時計の表示地域として設定された地域における日出入に係る表示が小針６６と同一の小窓４０２内で可能となっている。従って、小針６６とサブ小針６７とは、何れが現在位置に対応し、また、世界時計に対応するかが識別可能に形成されており、例えば、サブ小針６７は、小針６６より小さく形成されている。
【００７７】
サブ小針６７の動作に係る日出入情報は、小針６６の動作に係る日出入情報と同様に、スマートフォン１０から取得されて日出入情報４３１として記憶され、サブ小針６７の動作は、ＣＰＵ４１により当該日出入情報４３１に基づいて小針６６と同様に制御される。従って制御動作については、詳しい説明を省略する。
【００７８】
図１２は、小針６６及びサブ小針６７による小窓４０２内での表示例を示す図である。
小針６６とサブ小針６７は、現在位置及び世界時計に係る位置に応じて各々独立に動作制御される。従って、現在位置及び世界時計に係る設定位置の位置関係や日時（季節）などによっては、小窓４０２内での小針６６及びサブ小針６７に係る太陽側端部又は月側端部の駆動間隔が大きく異なり、一方の指針が他方の指針を追い抜く場合があり得る。
【００７９】
［変形例２］
次に、変形例２のアナログ電子時計４０ｂについて説明する。
図１３は、変形例２のアナログ電子時計４０ｂの機能構成を示すブロック図である。
【００８０】
この変形例２のアナログ電子時計４０ｂは、上記実施形態のアナログ電子時計４０に対して計測部５７及びそのドライバ５８が追加され、また、ＲＡＭ４３には、日出入情報４３１に代えて計測表示範囲情報４３１ｂが記憶されている。その他の構成は同一であり、同一の構成要素には同一の符号を付して説明を省略する。
【００８１】
計測部５７は、所定の物理量を計測するセンサを有する。センサとしては、特には限られないが、例えば、周知の温度センサや気圧センサなどのうち一又は複数が挙げられる。ドライバ５８は、これらセンサの動作を制御し、ＣＰＵ４１の制御に応じて所定の時間間隔でセンサを動作させたり、センサの計測値を予め定められたフォーマットでＣＰＵ４１に出力させたりする。
【００８２】
計測表示範囲情報４３１ｂは、計測結果を小針６６により小窓４０２内に表示させる場合における計測値の上限値（最大値）と下限値（最小値）とに係る設定を記憶する。ＣＰＵ４１は、計測値を当該定められた上限値と下限値との間で相対値化し、１８０度の表示範囲内で当該相対値の表示を行わせる。即ち、本変形例２のアナログ電子時計４０ｂでは、センサによる計測値がその絶対値ではなく、予め設定された上限値と下限値との間での相対値により表示される。
【００８３】
アナログ電子時計４０は、これら上限値及び下限値を予めスマートフォン１０から取得しておくことが出来る。この上限値及び下限値の設定動作及び設定値の取得動作は、上記実施形態における日出入情報と同様に行われて良い。或いは、上限値及び下限値は、スマートフォン１０の操作受付部１８を介してユーザによる手動入力で設定されても良い。これらの場合の上限値及び下限値は、ユーザの期待する範囲であることが好ましく、例えば、温度の上限値及び下限値が自動設定される場合には、日付及び現在位置に応じて得られる当日の平均温度を中心として不快指数などが所定の基準範囲内に入るように上限値及び下限値が定められる。或いは、外気温ではなく室温を前提として、当該日付に望ましい空調機の設定温度を中心として通常適切な範囲が定められても良い。また、継続的な計測における最初の計測値（初期値）を中心として、予め設定された範囲が上下に定められて初期値からの変化が表示される形態であっても良い。
【００８４】
表示される値は、計測値自体の相対値である必要はなく、ＣＰＵ４１により補正換算処理がなされたものであっても良い。例えば、気圧値が計測された場合に、当該気圧値を高度値に換算して高度情報として表示させることが出来る。この場合、高度の上限値と下限値をユーザの登山ルートの最高地点と最低地点の高度にそれぞれ設定しておくことで、ユーザが登山行程のどの辺りにいるかが感覚的に知得可能となる。
【００８５】
図１４は、本変形例２のアナログ電子時計４０ｂにおける小窓４０２内での表示例を示す図である。
ここでは、小針６６は、先細形状の指針であり、小窓４０２の左端（９時方向）を指示することで計測値が設定された下限値であることを示し、小窓４０２の右端（３時方向）を指示することで計測値が上限値であることを示す。この場合も、上限値と下限値の絶対値そのものは示されず、小針６６により上限値と下限値との間での相対位置が示されることで、計測値の程度状態をユーザに感覚的に知得させることが出来る。
【００８６】
図１５は、変形例２のアナログ電子時計４０ｂにおいて実行される運針処理のＣＰＵ４１による制御手順を示すフローチャートである。
この運針処理は、図８に示した運針処理におけるステップＳ４２７〜Ｓ４３０の処理がステップＳ４２７ｂ、Ｓ４２８ｂの処理に置き換えられた点を除いて同一であり、同一の処理内容には同一の符号を付して詳しい説明を省略する。
【００８７】
ステップＳ４２３の処理で“ＮＯ”に分岐した場合、ステップＳ４２５の処理で“ＮＯ”に分岐した場合、及びステップＳ４２６の処理がなされた後にステップＳ４２７ｂの処理に移行すると、ＣＰＵ４１は、計測部５７から計測値が取得されたか否かを判別する（ステップＳ４２７ｂ）。計測値が取得されていないと判別された場合には（ステップＳ４２７ｂで“ＮＯ”）、ＣＰＵ４１の処理は、ステップＳ４２２に戻る。
【００８８】
計測値が取得されたと判別された場合には（ステップＳ４２７ｂで“ＹＥＳ”）、ＣＰＵ４１は、計測表示範囲情報４３１ｂを参照して上限値及び下限値に対する計測値の相対値に応じた小針６６の指示位置を算出し、当該指示位置に小針６６を移動させる制御信号を駆動回路５１に出力する（ステップＳ４２８ｂ）。それから、ＣＰＵ４１の処理は、ステップＳ４２２に戻る。
【００８９】
以上のように、本変形例２のアナログ電子時計４０ｂは、所定の物理量を計測する計測部５７を備え、駆動制御手段としてのＣＰＵ４１は、計測部５７から物理量の計測値を取得するごとに、設定されている上限値及び下限値に対する当該計測値の相対値に応じた相対指針位置を算出して、この相対指針位置へ小針６６を移動させる。
即ち、相対的な時間経過だけではなく、空間物理量などの計測値についても、同様に相対的な表示を行わせることが出来る。従って、移動距離などの相対的な消化度合を容易に知得するのに用いることが出来る。また、全体に対する度合だけではなく、中央値や基準値、例えば、速度や温度などの設定値に対してずれの方向や度合を示す場合にも、上述の構成を用いてユーザに容易に状況を知得させることが出来る。
【００９０】
なお、本発明は、上記実施の形態に限られるものではなく、様々な変更が可能である。
例えば、上記実施の形態では、半円形の小窓４０２内で小針６６の表示を行わせたが、小窓４０２の形状はこれに限られず、適宜な角度範囲で表示させることが出来る。また、小針６６の動作範囲は、小窓４０２の内部に限られず、指針６１〜６３と同様に又は指針６１〜６３の少なくとも何れかにより文字板４００の略中心を回転軸として回転動作が行われるものであっても良い。また、動作範囲が１８０度（半円形）の場合であっても、９時から３時の範囲に限られず、例えば、１２時から６時の範囲など任意に定め得る。
【００９１】
また、上記実施の形態では、小針６６は、３６０度周回動作が可能とされたが、小窓４０２の範囲内でのみ、ここでは、１８０度の範囲でのみ回動可能に設けられていても良い。この場合、日の入後の適宜なタイミングで日の入位置まで小針６６を早送りで戻す動作が行われれば良い。
【００９２】
また、上記実施の形態では、小針６６は、昼間及び夜間においてそれぞれ一定の駆動間隔で動作させることとしたが、これに限られない。例えば、ユーザの感覚に合わせて日の出及び日の入近くの６０度ずつでは短い駆動間隔に設定し、天頂付近の６０度では長い駆動間隔に設定することとしても良い。
【００９３】
また、上記実施の形態では、日出時刻及び日の入時刻や計測部５７の計測値に係る表示の上限値及び下限値がスマートフォン１０から取得されて設定されたが、アナログ電子時計４０の操作受付部４７が受け付けた命令に応じて設定可能であっても良い。また、スマートフォン１０から設定が取得されるタイミングも適宜設定可能である。例えば、計測部５７による計測値に基づく相対表示を行う場合には、計測部５７の動作時にのみ、その開始時や開始から所定の時間間隔で取得することとしても良い。また、日出時刻や日の入時刻は、現在位置や現在の日時におけるものに限られず、他の所望の地域やタイミングのものが設定表示されても良い。
【００９４】
また、スマートフォン１０からの情報の取得は、ブルートゥースによる通信に限られない。例えば、ＲＦＩＤタグなどを用いた近接無線通信や有線による通信が用いられても良い。
【００９５】
また、上記実施の形態では、アナログ表示のみを行うアナログ電子時計４０を例に挙げて説明したが、デジタル表示が併用されたアナログ電子時計であっても同様に本発明を適用することが出来る。
【００９６】
また、本発明に係るアナログ表示装置は、アナログ電子時計に限られない。指針を用いて計測値に係る相対値を表示可能なものであれば、本発明が適用可能である。
その他、上記実施の形態で示した具体的な構成、動作の内容や手順などは、本発明の趣旨を逸脱しない範囲において適宜変更可能である。
【００９７】
本発明のいくつかの実施形態を説明したが、本発明の範囲は、上述の実施の形態に限定されるものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００９８】
［付記］
＜請求項１＞
回動可能な指針と、
前記指針の指示位置を規定する文字板と、
定められた計測対象に係る計測値を取得する計測手段と、
前記文字板上に規定された所定の第１位置と第２位置との間で前記計測値に応じて定まる指針位置へ前記指針を移動させる駆動制御手段と、
前記第１位置に対応する第１設定値及び前記第２位置に対応する第２設定値を可変に設定する設定手段と、
を備え、
前記駆動制御手段は、前記第１設定値及び前記第２設定値が示されない状態で、前記第１設定値及び前記第２設定値に対する前記計測値の相対値に応じた相対指針位置へ前記指針を移動させる
ことを特徴とするアナログ表示装置。
＜請求項２＞
前記計測手段は、現在日時を計数する計時手段を備え、
前記第１設定値は所定の開始時刻であり、前記第２設定値は所定の終了時刻であり、前記計測対象は前記開始時刻からの経過時間であり、
前記駆動制御手段は、前記指針を所定角度ずつ移動させる第１駆動間隔を算出し、前記開始時刻から前記第１駆動間隔で、前記指針を前記第１位置から前記所定角度ずつ移動させる
ことを特徴とする請求項１記載のアナログ表示装置。
＜請求項３＞
前記指針は、前記文字板上で少なくとも所定の回転方向に周回動作可能であり、
前記駆動制御手段は、前記終了時刻から次の前記開始時刻までの間に前記指針を前記第２位置から前記第１位置まで前記所定の回転方向に前記所定角度ずつ移動させる第２駆動間隔を算出し、前記終了時刻から前記第２駆動間隔で前記指針を前記所定角度ずつ移動させる
ことを特徴とする請求項２記載のアナログ表示装置。
＜請求項４＞
前記文字板及び前記指針を部分的に露出する開口部が設けられた遮蔽板を備え、
前記開口部からは、前記所定の回転方向に前記指針の前記第１位置から前記第２位置までの移動動作が露出される
ことを特徴とする請求項３記載のアナログ表示装置。
＜請求項５＞
前記開始時刻は所定の位置における日出時刻であり、前記終了時刻は当該所定の位置における日の入時刻であることを特徴とする請求項２〜４の何れか一項に記載のアナログ表示装置。
＜請求項６＞
前記第１位置と前記第２位置とは１８０度反対側に定められていることを特徴とする請求項１〜５の何れか一項に記載のアナログ表示装置。
＜請求項７＞
前記第１位置は前記文字板の所定の基準配置方向に対して９時方向であり、前記第２位置は当該基準配置方向に対して３時方向であることを特徴とする請求項６記載のアナログ表示装置。
＜請求項８＞
前記指針は、その両端が当該指針の回転軸に対して１８０度反対向きの２点を指示し、当該両端の形状、サイズ、配色、模様及び回転軸からの距離のうち少なくとも何れかが異なることを特徴とする請求項６又は７記載のアナログ表示装置。
＜請求項９＞
前記計測手段は、所定の物理量を計測し、
前記駆動制御手段は、前記計測手段から前記物理量の計測値を取得するごとに前記相対指針位置を算出して、当該相対指針位置へ前記指針を移動させる
ことを特徴とする請求項１記載のアナログ表示装置。
＜請求項１０＞
外部機器と通信を行う通信手段を備え、
前記設定手段は、前記第１設定値及び前記第２設定値の情報を前記通信手段により前記外部機器から取得する
ことを特徴とする請求項１〜９の何れか一項に記載のアナログ表示装置。
＜請求項１１＞
前記第１設定値及び前記第２設定値は、時間経過に応じて変化する値であり、
前記設定手段は、所定の設定間隔で前記通信手段により外部機器から前記第１設定値及び前記第２設定値を取得する
ことを特徴とする請求項１０記載のアナログ表示装置。
＜請求項１２＞
前記計測手段は、現在日時を計数する計時手段を備え、
当該アナログ表示装置は、前記現在日時を表示する時刻指針を備える電子時計である
ことを特徴とする請求項１〜１１の何れか一項に記載のアナログ表示装置。
【符号の説明】
【００９９】
１０   スマートフォン
１１   ＣＰＵ
１２   ＲＯＭ
１３   ＲＡＭ
１４   記憶部
１５   内蔵時計
１６   表示部
１７   ドライバ
１８   操作受付部
１９   スピーカ
２０   マイク
２１   コーデック
２２   ＲＦ送受信回路
２３   通信回路
２４   Bluetoothモジュール
２５   ＵＡＲＴ
２６   衛星電波受信処理部
２７   ＵＡＲＴ
２８   報知部
２９   ドライバ
３０   バス
４０   アナログ電子時計
４０ａ アナログ電子時計
４０ｂ アナログ電子時計
４１   ＣＰＵ
４２   ＲＯＭ
４３   ＲＡＭ
４４   発振回路
４５   分周回路
４６   計時部
４７   操作受付部
４８   Bluetoothモジュール
４９   ＵＡＲＴ
５１   駆動回路
５２   照明部
５３   ドライバ
５４   ブザー部
５５   ドライバ
５６   バス
５７   計測部
５８   ドライバ
６１   秒針
６２   分針
６３   時針
６４   日車
６５   ２４時間指針
６６   小針
６７   サブ小針
７１   輪列機構
７２   輪列機構
７３   輪列機構
７４   輪列機構
７５   輪列機構
８１   ステッピングモータ
８２   ステッピングモータ
８３   ステッピングモータ
８４   ステッピングモータ
８５   ステッピングモータ
９０   外部サーバ
１３１ 接続先情報
１４１ 設定取得管理アプリ
１４２ 日出入情報
１４３ エリア設定情報
１４４ 都市設定情報
４００ 文字板
４０１ 小窓
４０２ 小窓
４０３ 開口部
４２１ 通信制御プログラム
４３１ 日出入情報
４３１ｂ      計測表示範囲情報
４３２ エリア設定情報
ＡＮ１１      アンテナ
ＡＮ１２      アンテナ
ＡＮ１３      アンテナ
ＡＮ４ アンテナ
【図１】
0006710918.tif 000002
【図２】
0006710918.tif 000003
【図３】
0006710918.tif 000004
【図４】
0006710918.tif 000005
【図５】
0006710918.tif 000006
【図６】
0006710918.tif 000007
【図７】
0006710918.tif 000008
【図８】
0006710918.tif 000009
【図９】
0006710918.tif 000010
【図１０】
0006710918.tif 000011
【図１１】
0006710918.tif 000012
【図１２】
0006710918.tif 000013
【図１３】
0006710918.tif 000014
【図１４】
0006710918.tif 000015
【図１５】
0006710918.tif 000016